(57)【要約】【課題】用紙上に転写される画像に伸び縮みが生じにくい転写装置を提供することにある。【解決手段】搬送ベルトの背面側から転写バイアスを施し、感光体上に形成された現像像を搬送ベルトによって搬送される用紙上に転写させる転写器に於いて、搬送ベルトの張力を調整出来る調整機を従動ローラに持たせ、感光体―搬送ベルト間の用紙に９．８０６６５Ｎ（１ｋｇｆ）以上４９．０３３２５Ｎ（５ｋｇｆ）未満の範囲の挟持力を与え、用紙が転写部を通過する時の転写部での感光体と搬送ベルトとの周速差、ばたつき、及び滑りを少なくし安定させる。【選択図】　　　　　図１
2004037975.tif 000002
【特許請求の範囲】
【請求項１】
駆動ローラ及び従動ローラに架け渡され支持された搬送ベルトを有し、搬送ベルトの表面に用紙を吸着して搬送し、搬送ベルトの背面側から高圧電源等により転写バイアスを施し、感光体上に形成された画像を搬送ベルトにより搬送される用紙上に転写する電子写真式印刷装置の転写装置において、搬送ベルトの背面側から表面側に押し当て力を加え、搬送ベルトの張力を調整出来る従動ローラを有することを特徴とする電子写真式印刷装置の転写装置。
【請求項２】
搬送ベルトの背面側から表面側に搬送ベルトを押し当てる従動ローラは、搬送ベルトの張力を張力センサにより検出し、印刷動作に最適な張力に調整出来る調整手段を具備することを特徴とする電子写真式印刷装置の転写装置。
【請求項３】
搬送ベルトの背面側から表面側に押し当てる従動ローラの搬送ベルトへの押し当て力により搬送ベルトの張力を調整することで、搬送ベルト感光体間に搬送ベルトにより搬送される用紙に９．８０６６５Ｎ（１ｋｇｆ）以上４９．０３３２５Ｎ（５ｋｇｆ）未満の範囲の挟持力を与えることを特徴とする電子写真式印刷装置の転写装置。
【請求項４】
前記従動ローラは、用紙厚、用紙サイズの情報を加味して搬送ベルトを印刷動作の最適な張力に調整出来る調整手段を具備することを特徴とする電子写真式印刷装置の転写装置。
【発明の詳細な説明】
【０００１】
【発明の属する技術分野】
本発明は、感光体上に形成された現像像を用紙上に転写させる転写装置に関する。
【０００２】
【従来の技術】
従来の技術を図４を用いて説明する。感光体１上に形成された現像像を用紙８上に転写させる転写装置の一形態として、駆動ローラ２と従動ローラ３に架け渡され支持された搬送ベルト４を搬送ベルト４の背面から高圧電源６により転写ワイヤ５に転写バイアスを施し搬送ベルト４を帯電させ、感光体１上に形成された現像像を搬送ベルト４によって搬送される用紙８上に転写する転写装置が知られている。
【０００３】
【発明が解決しようとする課題】
この種の転写装置の場合、従来から図４に示す様に搬送ベルト４と感光体１に挟持される用紙８への挟持力Ｆｔは、転写部Ｓｔの搬送ベルト４の感光体１方向へ力Ｐｔと感光体１―用紙８間の摩擦力μ１、及び搬送ベルト４―用紙８間の摩擦力μ２により確保されていた。
【０００４】
そのため、搬送ベルト４のヤング率ｈが変化した場合、ベルト張力が変動、又は低下したりして、用紙８が搬送ベルト４と感光体１に挟持しきれず転写部Ｓｔで滑ったり、用紙８の先端が定着ローラ９に突入するとき、及び用紙８の後端がレジストローラ７から開放されるときの衝撃力で、転写部Ｓｔの用紙８がばたついたり、滑ったりして感光体１上の現像像が用紙８に正確に転写されず、画像伸縮やトナーの飛び散り汚れ等の画像乱れを招いていた。
【０００５】
従って、本発明の目的は用紙８上に転写された画像に画像伸縮やトナーの飛び散り汚れが生じにくい転写装置を提供することにある。
【０００６】
【課題を解決するための手段】
前記目的は、駆動ローラと従動ローラに架け渡され支持された搬送ベルトを搬送ベルトの背面から高圧電源により転写ワイヤに転写バイアスを施し搬送ベルトを帯電させ、感光体上に形成された現像像を搬送ベルトによって搬送される用紙上に転写する転写器を有する転写装置において、用紙が転写部に到達する直前に搬送ベルトの背面から感光体と搬送ベルト間の用紙の挟持力をある一定範囲に保てる様に従動ローラに搬送ベルトの張力を調整できる機構を設けることにより達成される。
【０００７】
【発明の実施の形態】
以下、本発明の一例を、図１及び図２を用いて説明する。転写装置の構成は、図１及び図２に示す様に駆動ローラ２及び従動ローラ３に架け渡され支持された搬送ベルト４と搬送ベルト４の背面から高圧電源６により転写バイアスを施し、感光体１上に形成された現像像を搬送ベルト４によって搬送される用紙８上に転写させる転写ワイヤ５と感光体１―搬送ベルト４間の用紙８に挟持力Ｆｔを与える為の従動ローラ３の位置可変を行う張力調整機１０からなり、感光体１はモータ１１から動力が伝達されて回転し、搬送ベルト４は駆動ローラ２がモータ１２から動力を受けて回転動作をする。
【０００８】
感光体１と搬送ベルト４は用紙８を同一方向に送る為にそれぞれの周速が同一になるようにモータ１１、１２により各々回転する。
【０００９】
現像像が転写された用紙８は定着ローラ１１で加熱加圧作用を受けながら挟持搬送され、現像像は用紙８に定着される。
【００１０】
ここで、前記転写装置の構成で本発明の特徴となる従動ローラ３の位置可変による張力調整機１０は、張力センサ１３の情報を基に従動ローラ３を搬送ベルト３の背面側から表面側への押し当て力Ｐｒをかけ、搬送ベルトの張力Ｔｔを最適値に調整し感光体１に搬送ベルト４の背面側から押し当て力Ｐｔを加え、感光体１と搬送ベルト４に挟持された用紙８に挟持力
Ｆｔ　＝　Ｐｔ×μ１　＋　Ｐｔ×μ２：Ｆｔ　＝９．８０６６５Ｎ（１ｋｇｆ）〜４９．０３３２５Ｎ（５ｋｇｆ）
を与えることで、搬送ベルト４の伸縮変動、駆動ローラ２の外径公差のばらつきによる感光体１と搬送ベルト４の周速差を低減すると共に、用紙８の先端が定着ローラ１１に突入するとき、用紙８の後端がレジストローラ７から開放される時の衝撃力による転写部Ｓｔでの用紙８のばたつきや滑りを低減する事が出来る。
【００１１】
又、搬送ベルト４のヤング率ｈが変化しても転写部Ｓｔでの用紙８への挟持力Ｆｔを強固に安定させる事が出来る。
【００１２】
その結果、転写部Ｓｔでの用紙８のばたつきや滑りを持続的に低減でき、感光体１上に形成された現像像を常時画像乱れ無く転写する事が出来る。
【００１３】
図３は本発明の他の例を示す説明図であり、前記張力調整機１０に、用紙厚センサー１７、用紙サイズセンサー１８の情報により、ＣＰＵ１６が従動ローラ３の搬送ベルト４の背面側から表面側への押し付ける力Ｐ　ｒを最適値に設定することにより、感光体１と搬送ベルト４に挟持された用紙８の挟持力Ｆｔをいつも最適値にする事ができ、感光体１上に形成された現像像を画像乱れのなく転写することが出来ると共に、過剰な挟持力により感光体１や搬送ベルト４の寿命を短くするのを防止出来る。
【００１４】
【発明の効果】
以上に説明した様に、本発明によれば従動ローラの位置可変による張力調整機により、搬送ベルトの張力を調整することにより、感光体に搬送ベルトの背面から一定範囲の力で押し当てる事により、搬送ベルトのヤング率の変化による影響を低減でき、又、搬送ベルトの感光体との周速差、回転むらを小さくし、安定する事が出来る。
【００１５】
そのうえ、用紙が感光体と搬送ベルトを通過するとき、及び用紙先端が定着ローラに突入するとき、用紙後端がレジストローラから開放されるときの衝撃力による転写部での用紙のばたつきや滑りが低減できるので、用紙上に転写された画像に伸び縮みの少ない、又、トナーの飛び散り汚れが生じにくい転写装置を提供する事が出来る。
【図面の簡単な説明】
【図１】本発明を一例となる電子写真式印刷装置の概略を示す説明図
【図２】本発明の転写装置の要部を示す説明図
【図３】本発明の他の例となる電子写真式印刷装置の概略を示す説明図
【図４】従来技術を示す説明図
【符号の説明】
１は感光体、２は駆動ローラ、３は従動ローラ、４は搬送ベルト、５は転写ワイヤ、６は高圧電源、７はレジストローラ、８は用紙、９は定着ローラ、１０は張力調整機、１１、１２、１４はモータ、１３は張力センサ、１５はドライバ、１６はＣＰＵである。
【図１】
2004037975.tif 000003
【図２】
2004037975.tif 000004
【図３】
2004037975.tif 000005
【図４】
2004037975.tif 000006